(57)【要約】【課題】  電気機器のキャビネットに取付けられる操作ボタンであって、ネジを用いることなく取付け出来、しかもガタ付くことなく安定した取付が出来、しかもキャビネットのフロント部が傾斜するなどの形を変えても同じ形態で取付け出来る操作ボタンの提供。【解決手段】  基部２８から起立する支持部２９の上端には押しボタン２４を正面側に突出して設けると共に基部２８との境界には肉厚を薄くしたヒンジ３０を形成し、該支持部２９の上端にはスイッチ押圧用アーム３１を後方へ延ばしている。そして基部２８の少なくとも両側部にはキャビネット底部３７から起立する係合ピン３８が入る挿入部３５と係合ピン３８が嵌合する嵌合部３４を連続して形成される係合穴３２を設け、又基部２８には基板４２を支える基板支持部３３を上方へ突出している。【選択図】    図４
2005243399.tif 000002
【特許請求の範囲】
【請求項１】
電気機器のキャビネットに取付けられる操作ボタンにおいて、基部から起立する支持部の上端には押しボタンを正面側に突出して設けると共に基部との境界には肉厚を薄くしたヒンジを形成し、該支持部の上端にはスイッチ押圧用アームを後方へ延ばし、そして基部の少なくとも両側部にはキャビネット底部から起立する係合ピンが入る挿入部と係合ピンが嵌合する嵌合部を連続して形成される係合穴を設け、又基部には基板を支える基板支持部を上方へ突出したことを特徴とする操作ボタン。
【請求項２】
キャビネットに操作ボタンを取付けた電気機器において、操作ボタンは、基部から起立する支持部の上端には押しボタンを正面側に突出して設けると共に基部との境界には肉厚を薄くしたヒンジを形成し、該支持部の上端にはスイッチ押圧用アームを後方へ延ばし、そして基部の少なくとも両側部にはキャビネット底部から起立する係合ピンが入る挿入部と係合ピンが嵌合する嵌合部を連続して形成される係合穴を設け、又基部には基板を支える基板支持部を上方へ突出し、一方のキャビネットのフロント部にはボタン穴を貫通して設け、又キャビネット底部には少なくとも２本の係合ピンを起立し、又少なくとも２個のストッパー爪を起立して設けると共にストッパー爪にはフロント部側に傾斜面を形成し、上記操作ボタンの基部に設けた係合穴には係合ピンを嵌合し、基部の後端をストッパー爪に係止して取付け、フロント部のボタン穴には押しボタンが嵌って突出し、一方、操作ボタンの支持部とキャビネットフロント部との間には隙間を残し、さらにキャビネット底部に取付けられた基板の先端部を基板支持部に載せて支えたことを特徴とする電気機器。
【請求項３】
キャビネットに操作ボタンを取付けた電気機器において、操作ボタンは、基部から起立する支持部の上端には押しボタンを正面側に突出して設けると共に基部との境界には肉厚を薄くしたヒンジを形成し、該支持部の上端にはスイッチ押圧用アームを後方へ延ばし、そして基部の少なくとも両側部にはキャビネットのフロント部から起立する係合ピンが入る挿入部と係合ピンが嵌合する嵌合部を連続して形成される係合穴を設け、又基部には基板を支える基板支持部を上方へ突出し、一方のキャビネットの上部にはボタン穴を貫通して設け、又キャビネットのフロント部には少なくとも２本の係合ピンを起立し、又少なくとも２個のストッパー爪を起立して設けると共にストッパー爪には上部側に傾斜面を形成し、上記操作ボタンの基部に設けた係合穴には係合ピンを嵌合し、基部の後端をストッパー爪に係止して取付け、キャビネット上部のボタン穴には押しボタンが嵌って突出し、一方、操作ボタンの支持部とキャビネット上部との間には隙間を残し、さらに基板を基板支持部に載置して支えたことを特徴とする電気機器。
【請求項４】
キャビネットに操作ボタンを取付けた電気機器において、操作ボタンは、基部から起立する支持部の上端には押しボタンを正面側に突出して設けると共に基部との境界には肉厚を薄くしたヒンジを形成し、該支持部の上端にはスイッチ押圧用アームを後方へ延ばし、そして基部の少なくとも両側部にはキャビネットのフロント部から起立する係合ピンが入る挿入部と係合ピンが嵌合する嵌合部を連続して形成される係合穴を設け、又基部には基板を支える基板支持部を上方へ突出し、一方のキャビネットの側部にはボタン穴を貫通して設け、又キャビネットのフロント部には少なくとも２本の係合ピンを起立し、又少なくとも２個のストッパー爪を起立して設けると共にストッパー爪には側部側に傾斜面を形成し、上記操作ボタンの基部に設けた係合穴には係合ピンを嵌合し、基部の後端をストッパー爪に係止して取付け、キャビネット側部のボタン穴には押しボタンが嵌って突出し、一方、操作ボタンの支持部とキャビネット側部との間には隙間を残し、さらに基板を基板支持部に載置して支えたことを特徴とする電気機器。
【請求項５】
上記係合ピンの先端にはツバを形成し、係合穴に嵌った係合ピンが外れないようにした請求項２、請求項３、又は請求項４記載の電気機器。
【発明の詳細な説明】
【技術分野】
【０００１】
本発明は止めネジを用いることなく簡単に取付け出来、更に隣接するボタンの連動を防止することが出来ると共に、フロントパネル面が傾斜する場合であっても取付け出来る操作ボタン、及び該操作ボタンを備えた電気機器に関するものである。
【背景技術】
【０００２】
電気機器のフロントには操作に必要なボタンが備わっていて、該ボタンを押すことで回路基板に設けているスイッチのＯＮ／ＯＦＦが行われる構造となっている場合が多い。そして、回路基板はシャーシに取着され、該回路基板上に設けているスイッチに位置合わせされて操作ボタンが取付けられるが、取付け構造の簡略化が求められる。
【０００３】
図１２は最も一般的な従来の操作ボタンの取付け構造を示している。該操作ボタン１はキャビネットのフロントパネル２の裏側に取付けられているが、上記操作ボタン１はその枠体３の四隅がネジ止めされている。フロントパネル２の裏側に突出しているボス４，４…に枠体３が支持された状態でネジ止めが成されている。従って、フロントパネル２との間にはボス４の長さに相当する隙間が形成されることになる。
【０００４】
ところで、操作ボタン１は四角形の上記枠体３の中に２個のボタン部５，５を有し、該ボタン部５，５は枠体３とヒンジ部６，６を介して繋がっている。そして、ボタン部５，５の基板７，７からアーム８，８を後方へ延ばし、アーム先端は回路基板９に設けているスイッチ１０，１０と接触することが出来る。すなわち、ボタン部５，５が正面から押圧されるならば、アーム８，８は下方へ撓み、先端が上記スイッチ１０，１０を押圧する。
【０００５】
図１３(ａ)は操作ボタン１がフロントパネル２に取付けられている背面図であり、(ｂ)は(ａ)のＡ−Ａ断面図、(ｃ)は(ａ)のＢ−Ｂ断面図をそれぞれ示している。各断面図から明らかなように、フロントパネル２から背後へ延びたボス４，４…に枠体３がネジ止めされ、ボタン部５の基板７から正面側に突出して形成されているボタン１１はフロントパネル２に形成された穴１２に嵌っている。従って、ボタン１１を正面から押圧すれば、枠体３に繋がっているヒンジ部６が曲げ変形してアーム先端がスイッチ１０に接触する。
【０００６】
ところで、操作ボタン１はフロントパネル２の裏側にネジ止めされて外れることはないが、該ネジ止め作業が面倒である。図１４は操作ボタン１と回路基板９を取付ける場合を示しているが、フロントパネル２に操作ボタン１をネジ止めし、その後、回路基板９が取付けられる。同図に示している操作ボタン１をネジ止めするには４本のネジが使用され、さらに多くのボタン１１，１１…を備えている操作ボタン１であるならば、より多くのネジが必要となる。
【０００７】
そして、テレビジョン受像機等の電気機器では、操作ボタンはフロントの比較的下側であって、底板との間の空間が少なくてフロントパネルの背後に設けたボス４，４…のネジ穴にネジを螺合する作業は容易でなく、作業工数は必然的に高くなる。
【０００８】
特開２０００−１６５０６４号に係る「キー押圧装置の取付構造」は、キー押圧装置がケースに設けられた台座に簡単に取付けられるように構成しものであり、「キー押圧装置を略Ｌ字形の弾性部材で構成し、その底片部に係合爪を、その立脚部にヒンジを形成し、さらにそのヒンジにキーボタンを植立させて設け、一方、キー押圧装置の係合爪を受け入れる係合部と台座とストッパーとキーボタンが挿入される孔をケースに設け、キーボタンを孔に挿入しつつキー押圧装置の係合爪をケースに設けた係合部に係合させることにより取付けられている。」
このような取付け構造とすることで、キー押圧装置がケースに設けられた台座に簡単に取付けられる。そして、キー押圧装置を取付ける際、ネジ等の締結部品が必要ない為に部品点数の削減、作業工程の緩和ができる。しかし、ケースの内部にキー押圧装置を取付ける台座、係合部、ストッパーが必要となり、その為に成形する金型の形状は複雑化し、勿論、金型代は高くなる。
【０００９】
そして、キー押圧装置はその係合爪を係合部に係合すると共に、ストッパーを設けている台座に載置されるが、立脚部はケースの内面に隙間なく当接して取付けられる。そこでケースがデザイン上傾斜するならば、又湾曲するならば、該ケースの内面に立脚部の形状を合わせることが必要となり、フロントパネルの外観の変化に対応することが出来ない。すなわち、キー押圧装置の種類が増加してコスト高を招き、部品管理にも影響して面倒である。
【００１０】
特開２００１−５３４７２号に係る「電子機器の操作装置」も、押釦がパネルから離脱することなく位置決めされて簡単に取付けられる構造であるが、フロントパネル面に当接する為に、該フロントパネルがデザイン上変化する場合には汎用性がなく、その都度、該フロントパネルに適合する操作装置としなくては成らない。
【００１１】
特開平１０−１４４１８０号に係る「各種機器における操作ボタン取付構造」は、特に小型通信機器にあって、各種スイッチボタンの設置スペースの事情のために、本体ケースなどの筐体側壁を利用せざるを得ない場合、簡潔構造で低コストの操作ボタン取付構造であるが、主面部に当接した構造で構成され、該主面部形状が変化する場合には対応できない。すなわち、該主面部に合う操作ボタン形状を製作する必要がある。
【特許文献１】特開２０００−１６５０６４号に係る「キー押圧装置の取付構造」
【特許文献２】特開２００１−５３４７２号に係る「電子機器の操作装置」
【特許文献３】特開平１０−１４４１８０号に係る「各種機器における操作ボタン取付構造」
【発明の開示】
【発明が解決しようとする課題】
【００１２】
このように従来の操作ボタン取付け構造には上記のごとき問題がある。本発明が解決しようとする課題はこれら問題点であり、止めネジを用いなくてもガタ付くことなく安定して取付けられ、隣接する操作ボタンとの連動を防止することが出来るようにし、更にはフロントパネルの外観形状が変化しても対応可能な汎用性のある操作ボタン及び該操作ボタンを備えた電気機器を提供する。
【課題を解決するための手段】
【００１３】
本発明は、キャビネットのフロント部に設けられる操作ボタンが簡単に取付けられると共にガタ付くことなく安定し、そしてキャビネットのフロントパネルが傾斜するなどして変化した場合であっても、取付け出来るように汎用性のある操作ボタンである。そこで、操作ボタンは操作をする押しボタンと押しボタンから下方へ延びる支持部、更に押しボタンの後方に延びて基板に取付けたスイッチを押す為のスイッチ押圧用アームが形成されている。そして押しボタンの下側には基部が設けられ、この基部と押しボタンの支持部とはヒンジによって連結されている。さらに、該基部には係合穴が設けられ、プリント基板を受ける為の基板支持部を起立している。
【００１４】
一方、キャビネットのフロント部には押しボタンが嵌るボタン穴が貫通して設けられ、該キャビネットの底部には係合ピンが起立し、該係合ピンの後方にはストッパー爪を設けている。操作ボタンを取付けるに際しては、基部に設けた係合穴に底部に起立する係合ピンを嵌め、基部の後端をストッパー爪に係止して取付けられる。そこで、係合穴に係合ピンが嵌り易いように該係合穴は概略長穴を成し、ストッパー爪には係合ピン側を低くした傾斜面を形成し、基部の後端をストッパー爪の傾斜面に載せた状態でスライドさせてストッパー面に係止し、係合ピンを係合穴に嵌合する。ところで、操作ボタンが取付けられる位置はキャビネットのフロント側が一般的であるが、このフロント側に限定するものではなく、キャビネット上側や側部に取付けることも可能である。
【発明の効果】
【００１５】
本発明に係る電気機器では操作ボタンを取付けるに際してネジを用いることなくワンタッチで取付けることが出来、作業性は向上し、しかも取付けられた操作ボタンはガタ付くことなく安定する。すなわち、操作ボタンはキャビネット底部に設けている係合ピンが基部の係合穴に嵌ると共に、基部の後方端はストッパー爪に係合して位置決め固定される。
【００１６】
このように、操作ボタンの基部はキャビネットにガタ付くことなく安定して固定される為に、ボタンを押圧する際に隣接するボタンの連動を防止し、誤動作をなくして安定した操作が保証される。一方、本発明の操作ボタンは底部に設けた係合ピンとストッパー爪にて位置決め挟持されて取付けられる為に、該係合ピンとストッパー爪の位置で操作ボタンの位置は定まる。従って、操作ボタンはキャビネットのフロント部に当接する必要はなく、間に隙間を設けることが出来る。その為に、フロント部が傾斜するなど、外観が変化してした場合であっても同じ操作ボタンを取付け可能である。
【００１７】
すなわち、フロント部の外観デザインに制約を受けることなく同じ操作ボタンを取付けることが出来、その為に部品管理は容易であり、生産性が向上してコストも安くなる。さらに、操作ボタン及び該操作ボタンを取付けるキャビネット底部の形状は簡略化されることで、成形金型の製作は容易となって安くなる。一方、操作ボタンをキャビネットのフロント部側に取付けることなく、キャビネット上部又はキャビネット側部にボタン穴を設けて取付けた場合も同じような効果を得ることが出来る。
【実施例】
【００１８】
図１はテレビジョン受信機の外観を示している具体例である。テレビジョン受信機は、正面に表示部２１が、表示部２１の両下側にはスピーカー２２，２２が、表示部下側のフロント部２３には５個の押しボタン２４ａ，２４ｂ・・が設けられている。そして、筐体と成るキャビネットはフロントキャビネット２５とバックキャビネット２６との組合せで構成されている。
【００１９】
図２もテレビジョン受信機の外観を示している具体例であるが、フロント部２３の外観を異にしている。すなわち、押しボタン２４ａ，２４ｂ・・が設けられているフロント部２３には、その表面が傾斜した操作パネル面２７を形成し、フロント部２３の内側に同じ構造で取付けた操作ボタンの押しボタン２４ａ，２４ｂ・・が操作パネル面２７に貫通して設けた穴に嵌っている。
【００２０】
さらに図３もテレビジョン受信機の外観を示している別の具体例であるが、フロント部２３に形成した操作パネル面２７の傾斜方向が図２に示すテレビジョン受信機の場合とは逆に成っている。しかし、フロント部２３の内側に同じ構造で取付けた操作ボタンの押しボタン２４ａ，２４ｂ・・が上記操作パネル面２７に貫通して設けた穴に嵌っている。
【００２１】
図４は操作ボタンの斜視図を示し、(ａ)は正面側、(ｂ)は背面側を各々表している。同図に示すように、操作ボタンは５個の押しボタン２４ａ，２４ｂ・・が等間隔で設けられ、これら押しボタン２４ａ，２４ｂ・・は基部２８から起立する支持部２９ａ，２９ｂ・・の正面側へ突出して形成されている。そして、支持部２９ａ，２９ｂ・・の下端であって基部２８との境界には肉厚を薄くしたヒンジ部３０ａ，３０ｂ・・が形成されている。
【００２２】
従って、押しボタン２４ａ，２４ｂ・・を正面側から押圧するならば、ヒンジ部３０ａ，３０ｂ・・を介して支持部２９ａ，２９ｂ・・は撓み変形することが出来る。そして、支持部２９ａ，２９ｂ・・の後方にはスイッチ押圧用アーム３１ａ，３１ｂ・・が延びていて、支持部２９ａ，２９ｂ・・が撓み変形するならば、上記スイッチ押圧用アーム３１ａ，３１ｂ・・の先端は降下してプリント基板に取付けられているスイッチを押圧する。
【００２３】
上記基部２８の両側部には係合穴３２，３２が貫通して設けられ、また基部２８の両側端及び中央部には基板支持部３３，３３・・が上方へ突出して設けられている。上記係合穴３２は図５に示すように概略長穴であって、係合ピンが嵌合する嵌合部３４と係合ピンが挿入する挿入部３５から成っている。大きな空間の挿入部３５に係合ピンを挿入したところで、操作ボタンの基部２８を移動することで小さな空間の嵌合部３４に嵌合する。しかし、嵌合部３４と挿入部３５を連続して設けている係合穴３２の形状は同図に示す場合に限定するものではない。
【００２４】
図６は操作ボタンの(ａ)は平面図、(ｂ)は正面図、(ｃ)は背面図、(ｄ)は側面図、及び(ｅ)はＡ−Ａ断面図を各々示している。平面図、側面図、及び断面図から明らかなように、押しボタン２４ａ，２４ｂ・・は支持部２９ａ，２９ｂ・・から正面側へ突出し、基部２８には係合穴３２，３２が貫通して設けられている。そして、正面図及び背面図から明らかなように、基部２８には基板支持部３３，３３・・が上方へ突出している。
【００２５】
図７はこの操作ボタンを取付けるフロントキャビネット２５の背面側斜視図を示しているが、フロント部２３には押しボタン２４ａ，２４ｂ・・が嵌るボタン穴３６ａ，３６ｂ・・が貫通して設けられている。一方、フロントキャビネット２５の底部３７には操作ボタンを位置決めして取付ける為の係合ピン３８，３８が起立し、ストッパー爪３９，３９・・が起立して設けられている。又底部３７の両側には内側にプリント基板の両側端が嵌るガイド溝を設けているガイドレール４０，４０を沿設している。
【００２６】
図８はフロントキャビネット２５の底部を表しており、フロント部２３にはボタン穴３６ａ，３６ｂ・・が設けられ、底部３７に起立している係合ピン３８は円柱を成し、ストッパー爪３９は三角形を形成している。そこで、操作ボタンを取付けるに際して、基部２８に設けている係合穴３２，３２に係合ピン３８，３８が嵌合すると共に、基部２８の後端がストッパー爪３９，３９、・・に係止して位置決め固定される。
【００２７】
図９は操作ボタンの取付け工程を示している。
(ａ)は操作ボタンをフロントキャビネット２５に取付ける前の状態を示している。この際、基部２８の係合穴３２，３２に係合ピン３８，３８が嵌るように配置される。
(ｂ)は操作ボタンを底部３７に起立する係合ピン３８を係合穴３２に嵌め、押しボタン２４をボタン穴３６に挿入する場合である。この場合、係合穴３２の挿入部３５に係合ピン３８が挿入され、基部２８の後端はストッパー爪３９の傾斜面４１に載っている状態であって、操作ボタンは正面側へ傾斜している。
(ｃ)は操作ボタンを取付けるに際して、係合ピン３８を係合穴３２の嵌合部３４に嵌合する為に基部２８を正面側へ移動する工程である。基部２８を押圧することで後端はストッパー爪３９の傾斜面４１に沿ってスライドする。
(ｄ)は操作ボタンが取付けられた場合である。係合ピン３８は係合穴３２の嵌合部３４に嵌合し、基部２８の後端はストッパー爪３９のストッパー面４４に係止して位置決め・固定される。操作ボタンの基部２８は係合ピン３８とストッパー爪３９とで挟持され、押しボタン２４を押圧しても外れることはない。
【００２８】
ここで、係合ピン３８はストレートピンであるが、上端にツバを形成することも出来る。勿論、ツバの大きさは係合穴３２の挿入部３５に嵌るものでなくてはならないが、嵌合部３４ではツバに当って抜けないように成る。
【００２９】
そして、ガイドレール４０，４０に取付けられた基板４２は基板支持部３３に載って支えられる。一方、図９(ｄ)に示すようにフロントキャビネット２５の底部３７に取付けられた操作ボタンは、支持部２９とフロント部２３との間に隙間４３を残している。すなわち、支持部２９がフロント部２３に当接しなくて隙間４３が介在することで、該フロント部２３が該隙間４３の範囲内で傾斜しても、又変形しても操作ボタンは係合ピン３８とストッパー爪３９とで同じ位置に取付けられる。
【００３０】
例えば、操作パネル面２７が図２に示すように傾斜した場合であっても、又図３に示すように傾斜しても、操作ボタンは係合ピン３８とストッパー爪３９とで固定される。そして、操作ボタンの押しボタン２４を押圧するならば、支持部２９が撓み変形してスイッチ押圧用アーム３１の先端が降下し、基板４２に取付けているスイッチを押してＯＮ−ＯＦＦすることが出来る。
【００３１】
図１０はテレビジョン受信機の外観を示している別の具体例であり、操作ボタンがフロントキャビネットの上部に取付けられている。すなわち、押しボタン２４ａ，２４ｂ・・はフロントキャビネット２５の上部４５に貫通して設けたボタン穴に嵌っている。しかし、操作ボタンの取付け位置が違っても、その取付け構造は前記実施例の場合と同じである。
【００３２】
図１１はフロントキャビネット２５の背面図を示しているが、上部４５にはボタン穴３６ａ，３６ｂ・・が設けられ、フロント部２３には２本の係合ピン３８，３８が起立し、概略三角形をしたストッパー爪３９，３９，３９を設けている。すなわち、前記図７、図８に示しているように、フロントキャビネット２５の底部３７に設けている係合ピン３８，３８及びストッパー爪３９，３９，３９の配置と同じである。
【００３３】
しかし、底部３７に設けているガイドレール４０，４０は備わっていない為に、スイッチが取付けられる基板はフロント部２３にネジ止めすることが出来る。勿論、小さな基板であるならば、操作ボタンの基部２８に起立して設けている基板支持部３３，３３・・に載置して取付けることも可能である。
【図面の簡単な説明】
【００３４】
【図１】テレビジョン受信機の斜視図。
【図２】テレビジョン受信機の斜視図。
【図３】テレビジョン受信機の斜視図。
【図４】操作ボタンを示す具体例で、(ａ)は正面側斜視図、(ｂ)は背面側斜視図。
【図５】係合穴の拡大図。
【図６】操作ボタンの平面図、正面図、背面図、側面図、Ａ−Ａ断面図。
【図７】フロントキャビネットの背面側斜視図。
【図８】フロントキャビネット底部の背面側斜視図。
【図９】操作ボタンの取付け工程。
【図１０】キャビネット上部に操作ボタンを取付けたテレビジョン受信機。
【図１１】フロントキャビネットの背面図。
【図１２】従来の操作ボタン取付け構造を示す斜視図。
【図１３】従来の操作ボタン取付け構造の背面図、及び断面図。
【図１４】従来の操作ボタンの取付け方法。
【符号の説明】
【００３５】
21  表示部
22  スピーカー
23  フロント部
24  押しボタン
25  フロントキャビネット
26  バックキャビネット
27  操作パネル面
28  基部
29  支持部
30  ヒンジ
31  スイッチ押圧用アーム
32  係合穴
33  基板支持部
34  嵌合部
35  挿入部
36  ボタン穴
37  底部
38  係合ピン
39  ストッパー爪
40  ガイドレール
41  傾斜面
42  基板
43  隙間
44  ストッパー面
45  上部
【図１】
2005243399.tif 000003
【図２】
2005243399.tif 000004
【図３】
2005243399.tif 000005
【図４】
2005243399.tif 000006
【図５】
2005243399.tif 000007
【図６】
2005243399.tif 000008
【図７】
2005243399.tif 000009
【図８】
2005243399.tif 000010
【図９】
2005243399.tif 000011
【図１０】
2005243399.tif 000012
【図１１】
2005243399.tif 000013
【図１２】
2005243399.tif 000014
【図１３】
2005243399.tif 000015
【図１４】
2005243399.tif 000016